(57)【要約】【課題】ユーザーが快適に映像操作を行うことが可能な再生装置、再生方法及びプログラムの提供。【解決手段】再生装置は、映像蓄積装置１とディスプレイ部３とポインティングデバイス５とからなる。ディスプレイ部３が、再生コンテンツ２の再生時間と再生位置を表し、かつ再生コンテンツ２の再生位置を変更する変更量が大の調整を可能とするタイムバー６を表示すると共に、タイムバー６とは別の表示位置に再生コンテンツ２の現在の再生位置を中心として一定範囲の時間を拡大し、かつ再生コンテンツ２の再生位置を変更する変更量が小の調整を可能とする拡大されたタイムバー７を表示する。【選択図】図２
2008152333.tif 000002
【特許請求の範囲】
【請求項１】
映像，音声を含むコンテンツが蓄積される映像蓄積装置と、前記映像蓄積装置に接続され、前記映像蓄積装置に蓄積され再生したコンテンツを表示するディスプレイ部と、前記映像蓄積装置に接続され、ユーザーの操作で前記ディスプレイ部に表示されるポインタの移動を行うポインティングデバイスとからなり、映像を記録再生又は再生する再生装置であって、
前記ディスプレイ部は、コンテンツの再生時間と再生位置を表し、かつコンテンツの再生位置を変更する変更量が大の調整を可能とするタイムバーを表示すると共に、前記タイムバーとは別の表示位置にコンテンツの現在の再生位置を中心としてある一定範囲の時間を拡大し、かつコンテンツの再生位置を変更する変更量が小の調整を可能とする拡大タイムバーを表示することを特徴とする再生装置。
【請求項２】
上記ディスプレイ部は、ユーザーがポインティングデバイスを操作することでポインタをタイムバー上の表示領域またはタイムバー上の現在の再生位置を表すポイント上に移動したとき、拡大タイムバーを表示する請求項１に記載の再生装置。
【請求項３】
上記ディスプレイ部は、ユーザーがポインティングデバイスを操作することでポインタをタイムバー及び拡大タイムバーの表示領域の範囲外に移動したとき、拡大タイムバーを非表示とする請求項１に記載の再生装置。
【請求項４】
上記タイムバーに表示するポイントの色と上記拡大タイムバーに表示するポイントの色とが異なる請求項１に記載の再生装置。
【請求項５】
映像を再生する方法であって、
コンテンツの再生時間と再生位置を表し、かつコンテンツの再生位置を変更する変更量が大の調整を可能とするタイムバーを表示することと、前記タイムバーとは別の表示位置にコンテンツの現在の再生位置を中心としてある一定範囲の時間を拡大し、かつコンテンツの再生位置を変更する変更量が小の調整を可能とする拡大タイムバーを表示することとを含むことを特徴とする再生方法。
【請求項６】
請求項５に記載の再生方法をコンピュータに実行させることを特徴とするプログラム。
【発明の詳細な説明】
【技術分野】
【０００１】
本発明は、映像を記録すると共に、記録した映像を再生する再生装置、再生方法及びプログラムに関するものである。
【背景技術】
【０００２】
ハードディスクやＤＶＤ（Ｄｉｇｉｔａｌ  Ｖｅｒｓａｔｉｌｅ  Ｄｉｓｋ）など、ランダムアクセス可能な映像・音声記録装置が普及し、自由にコンテンツにアクセスする視聴スタイルが一般的になっている時代において、従来のタイムバーをさらに使いやすくするシステムはない。
【０００３】
また、パソコン上で再生ソフトウェアを用いてＤＶＤなどを再生するときに、コンテンツの再生時間と再生位置を表すタイムバーがあるが、コンテンツが長時間であると、タイムバー上の現在の再生位置を表すポイントを少し動かしただけでも大きく時間をずらしていることになり、コンテンツの再生位置を変更する変更量の細かい調整をしたいときには不便である。
【０００４】
従来、番組を録画再生する録画再生装置において、録画された複数番組夫々の録画時間を検出する録画時間検出手段と、前記録画時間検出手段により検出された複数番組夫々の録画時間を区別したタイムバーを表示させる表示制御手段とを備え、複数番組に対応したステータス表示が可能な録画再生装置が特許文献１として提案されている。
【特許文献１】特開２００２−２７３８１号公報
【発明の開示】
【発明が解決しようとする課題】
【０００５】
ところが、従来の特許文献１として提案された技術では、タイムバーの拡大要求がなければ、タイムバーが拡大されなかった。
【０００６】
また、タイムバーの拡大は、元のタイムバーの表示領域に上書きされて行われるため、元のタイムバーを操作したいときは、拡大されたタイムバーを一旦閉じなければならず、ユーザーがコンテンツの再生位置を変更する変更量の細かい調整と大まかな調整を元のタイムバーまたは拡大されたタイムバーを選択して手間をかけずに続けて行うことができない。
【０００７】
そこで、本発明は、上記の事情に鑑みてなされたものであって、元のタイムバーに上書きせずに、ディスプレイ部が元のタイムバーとは別の表示位置に拡大されたタイムバーを新たに表示するため、ユーザーがコンテンツの再生位置を変更する変更量の細かい調整と大まかな調整をディスプレイ部に表示された元のタイムバーまたは拡大されたタイムバーを選択しながら手間をかけずに続けて行うことができ、従来のように拡大されたタイムバーを一旦閉じる必要もなく、ユーザーが快適に映像操作を行うことが可能な再生装置、再生方法及びプログラムを提供することを目的とする。
【課題を解決するための手段】
【０００８】
前記従来技術の課題を解決するために、本発明の再生装置は、映像，音声を含むコンテンツが蓄積される映像蓄積装置と、前記映像蓄積装置に接続され、前記映像蓄積装置に蓄積され再生したコンテンツを表示するディスプレイ部と、前記映像蓄積装置に接続され、ユーザーの操作で前記ディスプレイ部に表示されるポインタの移動を行うポインティングデバイスとからなり、映像を記録再生する再生装置であって、前記ディスプレイ部が、コンテンツの再生時間と再生位置を表し、かつコンテンツの再生位置を変更する変更量が大の調整を可能とするタイムバーを表示すると共に、前記タイムバーとは別の表示位置にコンテンツの現在の再生位置を中心としてある一定範囲の時間を拡大し、かつコンテンツの再生位置を変更する変更量が小の調整を可能とする拡大タイムバーを表示することを特徴とする構成を有するものである。
【０００９】
本発明の再生装置は、上記ディスプレイ部が、ユーザーがポインティングデバイスを操作することでポインタをタイムバー上の表示領域またはタイムバー上の現在の再生位置を表すポイント上に移動したとき、拡大タイムバーを表示するようになっている。
【００１０】
本発明の再生装置は、上記ディスプレイ部が、ユーザーがポインティングデバイスを操作することでポインタをタイムバー及び拡大タイムバーの表示領域の範囲外に移動したとき、拡大タイムバーを非表示とするようになっている。
【００１１】
本発明の再生装置は、上記タイムバーに表示するポイントの色と上記拡大タイムバーに表示するポイントの色とが異なることが好ましい。
【００１２】
本発明の再生方法は、映像を再生する方法であって、コンテンツの再生時間と再生位置を表し、かつコンテンツの再生位置を変更する変更量が大の調整を可能とするタイムバーを表示することと、前記タイムバーとは別の表示位置にコンテンツの現在の再生位置を中心としてある一定範囲の時間を拡大し、かつコンテンツの再生位置を変更する変更量が小の調整を可能とする拡大タイムバーを表示することとを含むことを特徴とするものである。
【００１３】
本発明のプログラムは、上記に記載の再生方法をコンピュータに実行させることを特徴とするものである。
【発明の効果】
【００１４】
以上に説明したように、本発明によれば、元のタイムバーに上書きせずに、ディスプレイ部が元のタイムバーとは別の表示位置に拡大されたタイムバーを新たに表示するため、ユーザーがコンテンツの再生位置を変更する変更量の細かい調整と大まかな調整をディスプレイ部に表示された元のタイムバーまたは拡大されたタイムバーを選択しながら手間をかけずに続けて行うことができ、従来のように拡大されたタイムバーを一旦閉じる必要もなく、ユーザーが快適に映像操作を行うことが可能な再生装置、再生方法及びプログラムを得ることができる。
【発明を実施するための最良の形態】
【００１５】
以下、本発明を実施するための最良の形態の再生装置について、図面に基づき詳細に説明する。
【実施例】
【００１６】
本発明の再生装置は、映像，音声を含むコンテンツが蓄積される映像蓄積装置１と、映像蓄積装置１に接続され、映像蓄積装置１に蓄積され再生した再生コンテンツ２を表示するディスプレイ部３と、映像蓄積装置１に接続され、ユーザーの操作でディスプレイ部３に表示されるポインタ４の移動を行うポインティングデバイス５とからなる。
【００１７】
本発明の再生装置は、映像を記録再生又は再生する装置である。
【００１８】
本発明の再生装置は、ディスプレイ部３が、再生コンテンツ２の再生時間と再生位置を表し、かつ再生コンテンツ２の再生位置を変更する変更量が大の調整を可能とするタイムバー６を表示すると共に、タイムバー６とは別の表示位置に再生コンテンツ２の現在の再生位置を中心としてある一定範囲の時間を拡大し、かつ再生コンテンツ２の再生位置を変更する変更量が小の調整を可能とする拡大されたタイムバー（拡大タイムバー）７を表示するようになっている。
【００１９】
本発明の再生装置は、ディスプレイ部３が、ユーザーがポインティングデバイス５を操作することでポインタ４をタイムバー６上の表示領域またはタイムバー６上の現在の再生位置を表すポイント６０上に移動したとき、拡大されたタイムバー７を表示するようになっている。
【００２０】
本発明の再生装置は、ディスプレイ部３が、ユーザーがポインティングデバイス５を操作することでポインタ４をタイムバー６及び拡大されたタイムバー７の表示領域の範囲外に移動したとき、拡大されたタイムバー７を非表示とするようになっている。
【００２１】
本発明の再生装置は、タイムバー６に表示するポイント６０の色と拡大されたタイムバー７に表示するポイント７０の色とが異なるようになっている。
【００２２】
本発明の再生方法は、映像を再生する方法である。
【００２３】
本発明の再生方法は、再生コンテンツ２の再生時間と再生位置を表し、かつ再生コンテンツ２の再生位置を変更する変更量が大の調整を可能とするタイムバー６を表示することと、タイムバー６とは別の表示位置に再生コンテンツ２の現在の再生位置を中心としてある一定範囲の時間を拡大し、かつ再生コンテンツ２の再生位置を変更する変更量が小の調整を可能とする拡大されたタイムバー７を表示することとを含んでいる。
【００２４】
図１は、本発明の実施例に係る再生装置を示す構成図である。
再生装置は、図１に示すように、ランダムアクセス可能な映像蓄積装置１と、ディスプレイ部３と、ポインティングデバイス５とからなる。
【００２５】
映像蓄積装置１には、ディスプレイ部３が接続されている。
【００２６】
再生装置は、映像出力が映像蓄積装置１からディスプレイ部３へ送られる。
【００２７】
映像蓄積装置１には、マウスなどのポインティングデバイス５が接続されている。
【００２８】
ディスプレイ部３は、映像蓄積装置１からの映像として再生コンテンツ２を表示画面３０上に表示することができる。
【００２９】
ディスプレイ部３の表示画面３０上には、図１に示すように、ポインティングデバイス５のポインタ４が表示されている。
【００３０】
そして、ユーザーがポインティングデバイス５を操作することで、ディスプレイ部３の表示画面３０上に表示されたポインタ４を移動させることができる。
【００３１】
ディスプレイ部３は、再生コンテンツ２の再生時間と再生位置を表すタイムバー６を表示画面３０上に表示することができる。
【００３２】
タイムバー６上には、現在の再生位置を表すポイント６０が表示されている。
【００３３】
ユーザーは、ポインティングデバイス５を通して、ディスプレイ部３の表示画面３０上に表示されるタイムバー６などの操作を行うことができる。
【００３４】
なお、ユーザーがリモコンを操作することで、ディスプレイ部３の表示画面３０上に表示されたポインタ４を移動させることも可能である。
【００３５】
映像蓄積装置１は、ＤＶＤやＶＴＲ（Ｖｉｄｅｏ  Ｔａｐｅ  Ｒｅｃｏｒｄｅｒ）、ストリーミング放送など、予めコンテンツが蓄積され、ユーザーが自由にコンテンツの早送り、巻き戻し、再生位置の指定などができる。
【００３６】
ディスプレイ部３に表示されるタイムバー６は、ある一定以上の再生時間を持つコンテンツの再生時などの任意の条件において、ユーザーがポインティングデバイス５のポインタ４をタイムバー６上の表示領域またはタイムバー６上の現在の再生位置を表すポイント６０上に重ねたとき、再生コンテンツ２の現在の再生位置を中心としてある一定範囲の時間を拡大されたタイムバー７を新たにディスプレイ部３の表示画面３０上に自動的に表示するようになっている。
【００３７】
図２は、本発明の実施例に係る再生装置における拡大されたタイムバーがディスプレイ部に表示された状態を示す拡大図である。
図２に拡大されたタイムバーがディスプレイ部に表示された状態の一例を示す。
ユーザーがポインティングデバイス５を操作することで、ディスプレイ部３の表示画面３０上に表示されたポインタ４をタイムバー６上の表示領域またはタイムバー６上の現在の再生位置を表すポイント６０上に移動して重ねると、新たにディスプレイ部３の表示画面３０上には、図２に示すように、タイムバー６とは別の表示位置に再生コンテンツ２の現在の再生位置を中心として一定範囲の時間を拡大されたタイムバー７が自動的に表示される。
【００３８】
このとき、
（１）拡大されたタイムバーが表示されるかどうか
（２）元のタイムバーのどの範囲を拡大するのか
（３）元のタイムバーをどの程度の大きさに拡大するのか
これらの上記（１）〜（３）の条件は、任意に設定できるものとする。
【００３９】
拡大されたタイムバー７上には、現在の再生位置を表すポイント７０が表示されている。
【００４０】
さらに、拡大されたタイムバー７がディスプレイ部３の表示画面３０上に自動的に表示された後に、ユーザーがマウスなどのポインティングデバイス５を操作することで、ポインティングデバイス５のポインタ４を元のタイムバー６及び拡大されたタイムバー７の表示領域の範囲外に移動したとき、拡大されたタイムバー７は消えて、図１に示すように、ディスプレイ部３が元のタイムバー６のみを表示する。
【００４１】
本実施例では、例えば、ユーザーがタイムバー６の図２の破線で示す拡大する範囲の開始位置と終了位置を指定した後で、タイムバー６の拡大する範囲の中にポイント４を置くと、拡大されたタイムバー７が表示される。
【００４２】
図３は、本発明の実施例に係る再生装置における拡大されたタイムバーがディスプレイ部に表示されるまでの制御を示すフローチャート図である。
以下、本発明における拡大されたタイムバーがディスプレイ部に表示されるまでの制御の処理フローの一例を、図３を用いて説明する。
まず、ポインティングデバイス５のポインタ４がタイムバー６上の表示領域またはタイムバー６上の現在の再生位置を表すポイント６０上にあるかを判断する（ステップＳ１００）。
【００４３】
ここで、ポインティングデバイス５のポインタ４がタイムバー６上の表示領域またはタイムバー６上の現在の再生位置を表すポイント６０上にある場合（ステップＳ１００“Ｙｅｓ”）、ディスプレイ部３がタイムバー６とは別の表示位置に再生コンテンツ２の現在の再生位置を中心としてある一定範囲の時間を拡大されたタイムバー７を表示する（ステップＳ１０１）。
【００４４】
次いで、ポインティングデバイス５のポインタ４がタイムバー６及び拡大されたタイムバー７の表示領域の範囲外に移動したかを判断する（ステップＳ１０２）。
【００４５】
ここで、ポインティングデバイス５のポインタ４がタイムバー６及び拡大されたタイムバー７の表示領域の範囲外に移動した場合（ステップＳ１０２“Ｙｅｓ”）、ディスプレイ部３が拡大されたタイムバー７を非表示にし（ステップＳ１０３）、その後、ステップＳ１００に戻る。
【００４６】
また、ポインティングデバイス５のポインタ４がタイムバー６上の表示領域またはタイムバー６上の現在の再生位置を表すポイント６０上にない場合（ステップＳ１００“Ｎｏ”）、ポインティングデバイス５のポインタ４がタイムバー６上の表示領域またはタイムバー６上の現在の再生位置を表すポイント６０上に移動して重なるまで待機する。
【００４７】
また、ポインティングデバイス５のポインタ４がタイムバー６及び拡大されたタイムバー７の表示領域の範囲外に移動していない場合（ステップＳ１０２“Ｎｏ”）、ポインティングデバイス５のポインタ４がタイムバー６及び拡大されたタイムバー７の表示領域の範囲外に移動するまで待機する。
【００４８】
図３では、マウスなどのポインティングデバイス５のポインタ４がタイムバー６上の表示領域またはタイムバー６上の現在の再生位置を表すポイント６０上に重なったときに、タイムバー６とは別の表示位置に再生コンテンツ２の現在の再生位置を中心としてある一定範囲の時間を拡大されたタイムバー７をディスプレイ部３の表示画面３０上に自動的に表示する。
【００４９】
また、ポインティングデバイス５のポインタ４が元のタイムバー６及び拡大されたタイムバー７の表示領域の範囲外に移動したときは、ディスプレイ部３が拡大されたタイムバー７を非表示にする。
【００５０】
本実施例では、マウスなどのポインティングデバイス５のポインタ４がタイムバー６上の表示領域またはタイムバー６上の現在の再生位置を表すポイント６０上に重なったときに、再生コンテンツ２の現在の再生位置を中心としてある一定範囲の時間を拡大されたタイムバー７を新たにディスプレイ部３の表示画面３０上に自動的に表示する。
【００５１】
また、ポインティングデバイス５のポインタ４が元のタイムバー６及び拡大されたタイムバー７の表示領域の範囲外に移動したときは、拡大されたタイムバー７を非表示にする。
【００５２】
なお、ポインティングデバイスとしては、マウス以外に、ポインティングデバイスの一種であるトラックパッドやトラックボールあるいはジョイスティックを使用することもできる。
【００５３】
本発明では、長時間の動画・音声再生時におけるタイムバーをある特定の一定範囲にしぼって自動的に拡大する処理を行い、ユーザーがコンテンツの再生位置を変更する変更量の細かい調整及び従来の大まかな調整も続けて行えるようにする。
【００５４】
本発明の再生装置では、タイムバーに表示するポイントの色と拡大されたタイムバーに表示するポイントの色とが異なることで、使用する場合に、拡大されたタイムバーであることを認識し易くできる。
【００５５】
上記実施例では、タイムバーのポイントの形状は、縦バー表示であるが、これに限定されないで、円形、楕円、菱形表示で表示しても良い。
【００５６】
本発明のプログラムは、上記再生方法をコンピュータに実行させるものである。
これにより、上記再生方法をコンピュータが読み取り実行することができ、この再生方法を汎用的なものにすることができる。
【図面の簡単な説明】
【００５７】
【図１】本発明の実施例に係る再生装置を示す構成図。
【図２】本発明の実施例に係る再生装置における拡大されたタイムバーがディスプレイ部に表示された状態を示す拡大図。
【図３】本発明の実施例に係る再生装置における拡大されたタイムバーがディスプレイ部に表示されるまでの制御を示すフローチャート図。
【符号の説明】
【００５８】
１  映像蓄積装置
２  再生コンテンツ
３  ディスプレイ部
４  ポインタ
５  ポインティングデバイス
６  タイムバー
７  拡大されたタイムバー（拡大タイムバー）
３０  表示画面
６０  ポイント
７０  ポイント
【図１】
2008152333.tif 000003
【図２】
2008152333.tif 000004
【図３】
2008152333.tif 000005